(57)【要約】【課題】意匠的に良好で検知性能や調整作業に優れた照明器具を提供することである。【解決手段】器具本体１は、略中央にランプ４を有し、端部に所定個所の明るさを検出する明るさセンサと人感センサとからなるセンサ２を有し、人感センサの検出信号により前記ランプを制御するとともに明るさセンサからの信号により所定個所の明るさが目標の値となるように制御する制御部を有する。カバー９はランプ４およびセンサ２を覆う。センサ２とランプ４との間に遮光部材８を有する。ランプ４の端部に明るさセンサの感度を調整する操作部７を設けている。【選択図】        図１
2006351416.tif 000002
【特許請求の範囲】
【請求項１】
略中央にランプ配置部を有し、端部に所定個所の明るさを検出する明るさセンサと人感センサとを有し、前記人感センサの検出信号により前記ランプ配置部に配置されたランプを制御するとともに前記明るさセンサからの信号により前記所定個所の明るさが目標の値となるように前記ランプを制御する制御部を有する器具本体と、
前記ランプ、前記明るさセンサおよび前記人感センサを覆うカバーとを備えた照明器具。  
【請求項２】
前記明るさセンサと前記ランプとの間に遮光部材を有する請求項１記載の照明器具。
【請求項３】
前記ランプの端部に前記明るさセンサの感度を調整する操作部を設けた請求項１または請求項２記載の照明器具。
【発明の詳細な説明】
【技術分野】
【０００１】
この発明は、センサの付いた照明器具に関するものである。
【背景技術】
【０００２】
図５に示すように、従来から人感センサや明るさセンサなどのセンサ５１を付設した照明器具５０があった。
【０００３】
図５（ａ）の従来例は、照明器具５０の端に露出してセンサ５１が配置されているため、意匠的に良いとはいえない場合が多い（特許文献１参照）。
【０００４】
図５（ｂ）の従来例は、照明器具５０の中央部にセンサ（図示せず）を配置しカバー５２で覆ったものである。この場合、センサが自己のランプ光の影響を受けやすく、明るさセンサが誤動作することがあった。また、センサの感度を調整する操作部が器具中央にあると、調整する作業者自身の影響をセンサが受けたり、ランプ光を一部遮った状態で感度調整を行うため、うまく調整できないという欠点があった。
【特許文献１】特開平１１−７３８１３号公報
【発明の開示】
【発明が解決しようとする課題】
【０００５】
したがって、この発明の目的は、意匠的に良好で検知性能や調整作業に優れた照明器具を提供することである。
【課題を解決するための手段】
【０００６】
この発明の照明器具は、器具本体が略中央にランプ配置部を有し、端部に所定個所の明るさを検出する明るさセンサと人感センサとを有し、前記人感センサの検出信号により前記ランプ配置部に配置されたランプを制御するとともに前記明るさセンサからの信号により前記所定個所の明るさが目標の値となるように前記ランプを制御する制御部を有する。
【０００７】
カバーは、前記ランプ、前記明るさセンサおよび前記人感センサを覆う。  
【０００８】
上記構成において、前記明るさセンサと前記ランプとの間に遮光部材を有する。
【０００９】
上記構成において、前記ランプの端部に前記明るさセンサの感度を調整する操作部を設けている。
【発明の効果】
【００１０】
この発明の照明器具によれば、センサをカバーで覆うため意匠的に良好になる。センサを器具本体の端部に配置することで明るさセンサが自己のランプ光の影響を受けにくくしやすいので誤動作を回避でき、検知性能に優れる。
【００１１】
明るさセンサとランプとの間に遮光部材を設けると、より確実に誤動作を防止することができるとともに遮光部材により明るい部分と暗い部分をはっきり区切ることで内蔵部品の投影を低減できる。
【００１２】
ランプの端部に操作部を設けると、調整する作業者自身の影響をセンサが受けることがなく、ランプ光を遮らない状態で調整作業をすることができるので調整作業に優れる。
【発明を実施するための最良の形態】
【００１３】
この発明の一実施の形態の照明器具を図１から図３により説明する。カバー付き直管器具用の器具本体１は天井に取付けられている。器具本体１の長手方向の片側の端部にセンサ２、例えば明るさセンサ内蔵型人感センサが内蔵されている。ここで、明るさセンサは所定個所の明るさを検出するものである。人感センサは検知エリアに入った人体を検出するものである。器具本体１内には長手方向の両端にランプソケット３が配置され、ランプソケット３間がランプ配置部となる。これらのランプソケット３間にランプ４例えば蛍光ランプを用いた直管ランプが装着されている。センサ２はランプ４の軸方向の端部の外側に配置されている。器具本体１の略中央部には安定器５および制御部６が設けられている。制御部６は人感センサの検出信号によりランプ４を例えばオンオフに制御するとともに、明るさセンサからの信号により所定個所の明るさが目標の値となるように調光制御するものである。器具本体１のセンサ２の上側にスイッチなどを用いた操作部７が設けられている。操作部７はセンサ２の感度等を調整するものである。操作部７およびセンサ２とランプ４との間は遮光部材８例えば遮光板により仕切られている。カバー９はセンサ２、操作部７、ランプ４、ランプソケット３、安定器５、制御部６を含む器具本体１の全体を覆うように器具本体１に取付けられている。カバー９は透光性例えば拡散透光性であるが、センサ２に対応する位置にセンサ２に入射する入射光等を透過しやすくするための透過部１０を開口や開口を閉じる透明部材により形成している。ただし、カバー９自体が透過部１０と同程度の透光性を有するものであれば、カバー９が透過部１０を兼ねることとなる。
【００１４】
図３は照明器具の施工例を示している。センサ２を含め全ての部品がカバー９に覆われているため、従来例のようなセンサ２の露出による意匠的イメージの低下を防ぐことができる。とくにランプ４を消灯した状態では、センサ２を備えていない照明器具とほぼ同一の外観イメージを有する。
【００１５】
この照明器具を例えば玄関上部等に設置する場合、ドアノブやインターホンの位置により検知したい範囲の中心は器具中心とは必ずしも一致しないことが多い。この場合、センサ２を器具本体１の端に配置することで所望の検知範囲に近づけることができる。
【００１６】
また人が検知範囲に進入してきた場合、センサ２が検知してからランプ４が点灯するまでの遅れ時間により、本来点灯して欲しい位置より器具に近い位置でランプ４が点灯する。この場合、例えば図３（ａ）のように２台の照明器具Ａを通路１２の天井に通路１２に沿って長手方向を揃えて設置するとき、センサ２が互いに離れた位置となるようにセンサ２を互いに反対方向に向けて設置することで、より広範囲に検知することが可能になるとともに、照明器具Ａから離れた位置でランプ４を点灯させることができる。Ｂは人の検知範囲である。
【００１７】
また人の進入方向が決まっている場所では、図３（ｂ）に示すようにセンサ２が同じ方向に向くように全ての照明器具Ａの長手方向を揃えることで、より照明器具Ａから離れた位置でランプ４を点灯させることができる。
【００１８】
この実施の形態によれば、つぎの利点がある。すなわち、ランプ４とセンサ２をランプ軸方向に配置することで、点灯時にランプソケット３、センサ２等の内蔵部品の陰がカバー９に投影されて意匠的に見苦しくなることがある。この場合、遮光部材８により、カバー９内の明るい部分と暗い部分をある程度はっきり区切ることで、内蔵部品の投影を低減することができるので意匠的な見苦しさが緩和される。また、同時に遮光部材８によりセンサ２が受けるランプ光を低減できるため、ランプ光による誤動作を防ぐことができる。
【００１９】
またセンサ２の感度を調整するスイッチなどの操作部７を器具本体１の端部に設けることで調整時に人が明るさセンサの検知範囲に入らずに調整することが可能となる。さらに、ランプ光を遮光せずに調整作業ができるため、調整作業がより容易かつ適正に行える。
【００２０】
図４は器具本体１を壁に設置した例を示し、器具本体１の内部部品の配置は図１と同様であるが、センサ２は下向きに配置されている。またカバー９の透過部１０をカバー９の下面に設けている。
【００２１】
なお、この発明において、人感センサと明るさセンサは一体に限らず、別体で器具本体１の一端部に設けるか、あるいは両端部に振り分けてもよい。直管ランプにはツイン型を含み、また丸型も可能である。
【図面の簡単な説明】
【００２２】
【図１】この発明の一実施の形態のカバーを外した状態の斜視図である。
【図２】カバーを閉じた状態の斜視図である。
【図３】照明器具を設置した状態のセンサの検知の説明図である。
【図４】別の実施の形態の斜視図である。
【図５】従来例の斜視図である。
【符号の説明】
【００２３】
１    器具本体
２    センサ
３    ランプソケット
４    ランプ
６    制御部    
７    操作部
８    遮光部材
９    カバー
１０    透過部
【図１】
2006351416.tif 000003
【図２】
2006351416.tif 000004
【図３】
2006351416.tif 000005
【図４】
2006351416.tif 000006
【図５】
2006351416.tif 000007